(57)【要約】【課題】掃除機の小型、軽量を維持し、本体の脱臭、除菌機能が大きく、空気清浄効果が高い、長時間使用できる電気掃除機を提供すること。【解決手段】電気掃除機は、電動送風機１０を備えた掃除機本体１と、掃除機本体１を収納または充電するために載置する充電台３０を備え、充電台３０に、除菌、脱臭、花粉不活性化、抗ウィルスなどを行う衛生機能手段である静電霧化装置１１を配設し、掃除機本体１を充電台３０に載置したとき、充電台３０に配設した静電霧化装置１１と掃除機本体１を通路で直接つなぐ接続構成を備えているため、掃除機本体１内に静電霧化装置１１を配設する必要がなく、軽量やコンパクト性を重視でき、かつ掃除機本体１内の特に集塵部９の脱臭、除菌を非常に効率よく、かつ効果的に行うことができる。【選択図】図５
2016067614.tif 000002
【特許請求の範囲】
【請求項１】
電動送風機と集塵部を備えた掃除機本体と、
前記掃除機本体を収納または充電するために載置する充電台と、
前記充電台に設けた衛生機能手段と、
前記充電台内部に設けられ前記衛生機能手段と連通する充電台連通路と、
前記掃除機本体内部に設けられ、前記集塵部と連通する本体連通路と、
前記掃除機本体を前記充電台に載置した際、前記充電台連通路と前記本体連通路とを連通させる接続部と、を備えた電気掃除機。
【請求項２】
前記衛生機能手段は帯電微粒子水を生成する静電霧化装置とした請求項１に記載の電気掃除機。
【請求項３】
前記接続部は前記本体連通路側の通路に開閉機構を設けた請求項１または２に記載の電気掃除機。
【請求項４】
前記接続部は前記掃除機本体あるいは前記充電台の少なくともどちらか一方の接続開口部に蓋を設けた請求項１〜３のいずれか１項に記載の電気掃除機。
【請求項５】
前記充電台には、前記掃除機本体の接続開口部とは別に空気中へ排出可能な排出口を設けた請求項１〜４のいずれか１項に記載の電気掃除機。
【発明の詳細な説明】
【技術分野】
【０００１】
本発明は、脱臭、除菌等を行う衛生機能手段を配設した電気掃除機に関するものである。
【背景技術】
【０００２】
従来の一般的な電気掃除機として、電動送風機の排気経路にイオン発生器を配置させた構成が提案されている（例えば、特許文献１参照）。
【０００３】
従来の電気掃除機の掃除機本体は、電動送風機と、その前方に配置されており、塵埃を捕集する集塵袋を内蔵する集塵室とを有し、掃除機本体１後方の上部にはイオン発生器が配置されており、イオン発生器で発生させた大量のイオンを、電動送風機の排気の一部を利用して大気に放出させて、浮遊する塵埃を広範囲に帯電させた後、このイオンで帯電された塵埃を集塵袋で捕集する構成が提案されている。
【０００４】
また、近年は、被付着物に付着し当該被付着物の脱臭及び除菌を行う脱臭及び除菌作用を有するナノメータサイズのマイナスイオンミスト（帯電微粒子水）を生成させる静電霧化装置が知られている（例えば、特許文献２参照）。
【０００５】
また、電気掃除機の掃除機本体に、静電霧化装置を搭載しようとすると、掃除機本体の大型化、デザイン性の制限および掃除機本体の重量の増加など、電気掃除機の最大の特徴の一つである手軽さを損なってしまい使用勝手が低下してしまうことがあったが、これを解決するために、掃除機本体を載置し電池を充電する充電台に、帯電微粒子水を生成する静電霧化装置と、外気を吸気し帯電微粒子水を空気中へ排出させる送風機を配設するようにしたものが提案されている（例えば、特許文献３参照）。
【０００６】
そして特許文献３のような構成にすることで、充電台より帯電微粒子水を空気中へ放出することができ、掃除機本体内に静電霧化装置等を配設する必要がないため、軽量やコンパクト性を重視しつつ、空気清浄効果が高い電気掃除機を提供することができる。
【０００７】
また、帯電微粒子水を空気中の塵埃に付着させ、空気中の塵埃に帯電微粒子水の質量を付加することで、空気中の塵埃を早く被清掃面に落下させることができ、空気中の塵埃の捕集効率を向上させることができる。さらに、空中に浮遊しているウィルス、雑菌、及びカビ菌などに帯電微粒子水を付着させることで、空中に浮遊しているウィルス、雑菌、及びカビ菌などを十分に脱臭及び除菌することができ、空気清浄効果の高い電気掃除機が提案されている。
【０００８】
また、掃除機本体が動作していない状態においても充電台より帯電微粒子水を空気中へ排出させることができるという利点もあることが知られている。
【先行技術文献】
【特許文献】
【０００９】
【特許文献１】特開２００８−２１２３８９号公報
【特許文献２】特開２００６−６８７１１号公報
【特許文献３】特開２０１４−１００２８０号公報
【発明の概要】
【発明が解決しようとする課題】
【００１０】
しかしながら、特許文献３の構成では、電気掃除機の掃除機本体に、上述の特許文献２に記載の静電霧化装置がないため、掃除機本体の大型化、デザイン性の制限および掃除機本体の重量の増加などは防げるが、本来の静電霧化装置の効果である脱臭、除菌が電気掃除機の本体に直接効かせることができなくなっている。
【００１１】
すなわち、外気を吸気し帯電微粒子水を空気中へ排出させ、空気中の塵埃に帯電微粒子水の質量を付加することで、空気中の塵埃を早く被清掃面に落下させることができ、空気中の塵埃の捕集効率を向上させることはできても、掃除機本体内のサイクロン式の集塵部や紙パック式の紙袋やフィルター、通路、防音材に捕集される塵埃や各部材に付着した菌の除菌や臭いに対しては効果を発揮することができないという課題があった。
【００１２】
本発明は、上記従来技術の有する課題に鑑みてなされたものであり、軽量やコンパクト性を重視しつつ、掃除機本体内の脱臭、除菌をも非常に効率よく、かつ効果的に行い、より清潔な電気掃除機を提供することを目的とする。
【課題を解決するための手段】
【００１３】
上記従来技術の有する課題を解決するために、本発明の電気掃除機は、電動送風機と集塵部を備えた掃除機本体と、前記掃除機本体を収納または充電するために載置する充電台と、前記充電台に設けた衛生機能手段と、前記充電台内部に設けられ前記衛生機能手段と連通する充電台連通路と、前記掃除機本体内部に設けられ、前記集塵部と連通する本体連通路と、前記掃除機本体を前記充電台に載置した際、前記充電台連通路と前記本体連通路とを連通させる接続部と、を備えたことで、充電台に配設した衛生機能手段と掃除機本体内の集塵部とを通路で直接つなぐことができ、掃除機本体内に静電霧化装置等を配設する必要がないため、軽量やコンパクト性を重視しつつ、掃除機本体内の脱臭、除菌をも非常に効率よく、かつ効果的に行うことができる電気掃除機を提供することができる。
【発明の効果】
【００１４】
本発明の充電式電気掃除機によれば、掃除機本体内に静電霧化装置等を配設する必要がないため、軽量やコンパクト性を重視しつつ、空気中の空気清浄効果が高く、また充電台に静電霧化装置等を搭載し、直接掃除機本体内に静電霧化装置から帯電微粒子水を供給する構成としたため、脱臭、除菌効果を効果的かつ効率的に作用させることができる充電式電気掃除機を提供することができるものである。
【図面の簡単な説明】
【００１５】
【図１】本発明の実施の形態１における充電台に搭載した静電霧化装置から発生させた微粒子水を充電式電気掃除機内へ直接供給する接続状態を示す側面図
【図２】同充電式電気掃除機の使用時の全体斜視図
【図３】同充電式電気掃除機の充電台の斜視図
【図４】同充電式電気掃除機の背面に構成した接続口の斜視図
【図５】同充電式電気掃除機と充電台との接続状態を示す簡易ブロック図
【図６】同充電式電気掃除機側の帯電微粒子水が通過する拡散通路に設けた開閉機構の構造断面図
【図７】（ａ）同充電式電気掃除機側の拡散通路に設けた開閉機構が開時状態での動作説明図、（ｂ）同開閉機構が閉時状態での動作説明図
【図８】同充電式電気掃除機の充電台の帯電微粒子水放出口に設けた蓋と空気中への排出口を示す簡易斜視図
【図９】同充電式電気掃除機の充電台の帯電微粒子水放出口の部分断面図
【発明を実施するための形態】
【００１６】
第１の発明は、電動送風機と集塵部を備えた掃除機本体と、前記掃除機本体を収納また
は充電するために載置する充電台と、前記充電台に設けた衛生機能手段と、前記充電台内部に設けられ前記衛生機能手段と連通する充電台連通路と、前記掃除機本体内部に設けられ、前記集塵部と連通する本体連通路と、前記掃除機本体を前記充電台に載置した際、前記充電台連通路と前記本体連通路とを連通させる接続部と、を備えたことで、充電台に配設した衛生機能手段と掃除機本体内の集塵部とを通路で直接つなぐことができ、掃除機本体内に静電霧化装置等を配設する必要がないため、軽量やコンパクト性を重視しつつ、掃除機本体内の脱臭、除菌をも非常に効率よく、かつ効果的に行うことができる電気掃除機を提供することができる。
【００１７】
第２の発明は、特に第１の発明の衛生機能手段は帯電微粒子水を生成する静電霧化装置としたことにより、帯電微粒子を空気中の水分から大量に生成できる。この帯電微粒子は非常に小さいため、部材やフィルターなどの非常に小さな隙間や捕捉蓄積された塵埃の奥深くまで浸透することができ非常に大きな除菌、脱臭効果が得られるものである。
【００１８】
また、充電台に静電霧化装置があることにより、動作させるための電源がいつでも確保されているため、静電霧化装置の動作時間を任意に長くすることが可能であり、すなわち、従来の掃除機に搭載されているものは、掃除の動作時間にしか動かすことができないため効果が出しにくい、効果が少なかったという懸念もなくなる。
【００１９】
加えて掃除動作時は塵埃を吸い込むため大風量の風が本体内に流れているため、帯電微粒子水が生成されても、すぐに薄まったり、通過したり、排気から出てしまったりして本体内の除菌、脱臭したい場所に十分な効果が出しにくかったことも解消される。
【００２０】
すなわち、生成した帯電微粒子を本体内に充分かつ大量に時間をかけて作用させることができるためその効果は絶大である。時間をかけることができ、塵埃や汚れ、臭いの原因物質の隅々まで浸透して効果を出すことができるものである。
【００２１】
第３の発明は、特に第１または第２の発明において、接続部は、本体連通路側の通路に開閉機構を設けたことにより、通常の掃除においても吸引力を損なうことなく使用することができる。
通常掃除機は電動送風機を回して吸引力を得る。掃除のときにはこの吸引力が電動送風機の上流側の集塵部に作用し、さらに上流側のホース、延長管に作用する。そしてさらに上流にある吸込具に作用し、被掃除面から、塵埃を吸引する。
すなわち今回の接続構成は、前記集塵部に作用させるため帯電微粒子の拡散通路を電気掃除機の電動送風機の上流側の通路に接続している。
【００２２】
掃除機を通常使用しているときにはこの拡散通路は掃除機本体の外側に開口しているため、ここから外気が勢いよく入り込み本来の吸引力を大幅に減少させることとなる。これを防止するためにこの開閉機構を設けているため、通常の掃除の時には拡散通路が閉まっており問題なく使用できると同時に、帯電微粒子の拡散のときには拡散通路が開いているため、除菌、脱臭したい集塵部等に帯電微粒子が拡散し効果を発揮できる使い勝手のよい電気掃除機を提供することができる。
本発明の開閉機構は後で述べるが電源動力を使用しない自動で開閉ができる簡単な開閉機構を採用している。
【００２３】
第４の発明は、特に第１〜第３のいずれか１つの発明において、前記接続部は前記掃除機本体あるいは前記充電台の少なくともどちらか一方の接続開口部に蓋を設けたことにより、掃除機本体を充電台から離して使用してもごみや異物が拡散通路に入ることがなく、衛生機能手段の効果を低下させることがなく故障等も防止できる電気掃除機を提供することができる。本発明では、この蓋は掃除機本体を充電台に搭載したときに磁力の反発力を
利用して自動で開くようになっている。
【００２４】
第５の発明は、特に第１〜第４のいずれか１つの発明において、前記充電台には、掃除機本体の接続開口部とは別に空気中へ排出可能な排出口を設けたことにより、掃除機本体の脱臭、除菌に加え、従来備えていた部屋の空気中に浮遊しているウィルス、雑菌、及びカビ菌などを十分に脱臭及び除菌することが同時にできる電気掃除機を提供することができる。
【００２５】
すなわち、充電台の排出口より放出した帯電微粒子水を空気中の塵埃に付着させ、空気中の塵埃に帯電微粒子水の質量を付加することで、空気中の塵埃を早く被清掃面に落下させることができる。これは掃除をしていない充電時間中に機能させることができ時間をかけることが十分にできるため、空気中の塵埃の捕集効率を向上させることができる。
さらに、空中に浮遊しているウィルス、雑菌、及びカビ菌などに帯電微粒子水を付着させることで、空中に浮遊しているウィルス、雑菌、及びカビ菌などを十分に脱臭及び除菌することができ、空気清浄効果の高い充電式電気掃除機を提供することができる。
【００２６】
以下、図面を参照しながら本発明の電気掃除機の好適な実施の形態について詳細に説明する。なお、以下の説明では、同一または相当部分には同一符号付し、重複する説明は省略する。また、この実施の形態によって本発明が限定されるものではない。
【００２７】
（実施の形態１）
図１は、本発明の実施の形態１における充電式電気掃除機の充電台に搭載した静電霧化装置から発生させた微粒子水を充電式電気掃除機内へ直接供給する接続状態を示す側面図、図２は、同充電式電気掃除機の使用時の全体斜視図、図３は、同充電式電気掃除機の充電台の斜視図、図４は同充電式電気掃除機の背面に構成した接続口の斜視図、図５は、同充電式電気掃除機と充電台との接続状態を示す簡易ブロック図、図６は、同充電式電気掃除機側の帯電微粒子水が通過する拡散通路に設けた開閉機構の構造断面図、図７（ａ）は、同充電式電気掃除機側の拡散通路に設けた開閉機構が開時状態での動作説明図、図７（ｂ）は、同開閉機構が閉時状態での動作説明図、図８は、同充電式電気掃除機の充電台の帯電微粒子水放出口に設けた蓋と空気中への排出口を示す簡易斜視図、図９は、同充電式電気掃除機の充電台の帯電微粒子水放出口の部分断面図である。
【００２８】
図１において、本実施の形態における充電式電気掃除機１００は、主として、吸引風を発生させる電動送風機１０を内蔵する掃除機本体１と、被清掃面の塵埃を吸引する吸込具２と、一端が吸込具２に着脱自在に接続される伸縮自在あるいは継ぎ自在の延長管３と、一端が延長管３の他端に接続され、他端が掃除機本体１に接続されるとともに導電線（図示せず）を有したホース４とから構成されており、掃除機本体１には、電動送風機１０を駆動するための２次電池６とを備えている。また、２次電池６を充電するために掃除機本体１を装着する充電台３０を備えている。
【００２９】
また、図２〜図５に示すように、掃除機本体１には、ホース４に設けられた手元把持部７の手元操作部８を操作することで掃除機を動作させることができ、掃除機本体１には塵埃を分離して集塵室にためるサイクロン式の集塵部９を備えている。
【００３０】
充電台３０には、静電霧化装置１１および通電を制御する静電霧化制御部１３と、外気を吸引する外気吸引口１４および帯電微粒子水を本体に送り込むための接続を担う帯電微粒子水放出口１５を有しており、本発明では外気吸引口１４を充電台３０内の静電霧化装置１１と通路でつないでいるが、外気を充電台３０内空気から取り込めるなら通路はなくても機能する。
【００３１】
帯電微粒子水を静電霧化装置１１から帯電微粒子水放出口１５に放出し、さらに掃除機本体１内に拡散し送り込む送風力としては本発明では、静電霧化装置１１の放電で発生するイオン風を用いており約２ｍ／秒の初速が得られている。
【００３２】
また、充電台３０内部には、静電霧化装置１１と帯電微粒子水放出口１５の間を連通する充電台連通路１６と、充電制御部１８とが設けてある。イオン風で送り込む量が少なければこの充電台連通路１６に、送風機を配設してもよい。
【００３３】
このように、帯電微粒子水を発生させる機能が充電台３０に配されおり、掃除機本体１内に配することを必要としないため、掃除機本体１はコンパクト化および軽量化が図れる。
【００３４】
掃除機本体１の背面には図にあるように接続開口部である帯電微粒子水流入口１２が設けてあり、ここから帯電微粒子水が掃除機本体に流入し通路を通り拡散していく。
【００３５】
また、接続開口部である帯電微粒子水流入口１２と帯電微粒子水放出口１５とが互いに嵌合しあい接続部１７構成ができている。接続部１７構成について、図６、図７を用いて、動作を含めて説明する。
【００３６】
１９は充電台３０側充電端子であり、２０は掃除機本体１側充電端子である。充電台３０に掃除機本体１を置くと充電が行われる。また、静電霧化装置１１も制御により動作を開始する。
【００３７】
図６は、上述した接続部１７の拡大図であり、本発明で用いた開閉機構２１を示している２５は通路の開閉に用いるボールである。２３は掃除機側の本体外壁面、２４は充電台３０側の外壁面である。上が掃除機本体１側で下が充電台３０側であり、掃除機を充電台３０に置いた状態である。
【００３８】
接続部１７は凹凸で勘合する構造をとっており漏れを防止するためにシール材２２を設けている。本発明では軟質ウレタンを使用した。特に漏れを防止できるものなら材質およびＯリングなどのメカニカルシール構造でも構わない。
【００３９】
図７（ａ）は開時で掃除機本体１を充電台３０に置いた状態で通路が開いている。図７（ｂ）は閉時で掃除機を使って掃除をしている状態、すなわち掃除機本体１が水平状態であり、通路は塞がれており、外気を遮断し吸引力の漏れを防止している。
【００４０】
図８は、充電式電気掃除機１００の充電台３０に設けた蓋２７と空気中への排出口２６を示している。図９は、充電台３０の帯電微粒子水放出口１５の部分断面図であり、蓋２７の開閉構造の動作を示している。
【００４１】
以上のように構成された本実施の形態における充電式電気掃除機について、以下、その動作、作用を説明する。
【００４２】
例えば、先ず作用を説明するが、使用者が掃除を行うと集塵部９に塵埃が溜まっていく。塵埃は臭いの元となるダニやその糞、ペット毛や皮脂等が挙げられる。同様に菌も含まれる。それらが集合した塵埃は掃除後も集塵部内に置いておかれるため、使用者が溜まった塵埃を捨てるまでに、集塵部９の中で菌の増殖、死滅、湿気による腐敗等で当初の臭気より格段に臭いがきつくなり、衛生上もよくない菌も大幅に増加する。
【００４３】
この結果、掃除機を使用するたびにきつい、いやな臭いが排気臭として出てしまい不快
感が増す。また、集塵部９を外して塵埃すなわち、ごみを捨てる場合にも、その臭いや舞い上がったほこりに含まれるアレルゲンの原因となるダニ糞、菌を吸ってしまい、衛生上に大変よくない。
【００４４】
そのため、本発明は毎回掃除が終わって掃除機を充電台３０に戻すたびに掃除機本体１の臭いや菌の増殖の根本的要因となる集塵部９に上記静電霧化装置１１から生成された帯電微粒子水が最短距離でほぼダイレクトに作用させることができ脱臭、除菌を効率的に行っている。
【００４５】
当然集塵部９に吸引通路でつながっているホース４、延長管３、吸込具２内部、及び掃除機の排気側通路にも拡散するため時間の遅れはあるが同様に脱臭、除菌ができるものであり、掃除機全体のクリーン性が向上する掃除機を提供できるものである。
【００４６】
また、充電台３０に設けた排出口２６からも空気中に放出され、空気中に帯電微粒子水を放出させ空気清浄効果を発揮することもできる。
【００４７】
次に動作を説明する。掃除機の使用後、掃除機本体１を充電台３０に戻すと２次電池６に、充電制御部１８から充電を行う。充電が終了すれば自動で充電は終わる。
【００４８】
同時に充電台３０に置かれたことを充電制御部１８が検知すると静電霧化装置１１も動作を開始する。外気を導入しペルチェ素子にて放電電極に結露させ帯電微粒子を生成する、生成された帯電微粒子は充電台連通路１６を通り接続部１７へと流れていく。
【００４９】
図６に示したように嵌合された帯電微粒子水放出口１５と帯電微粒子水流入口１２を介して掃除機本体１側に帯電微粒子水が流れ込む、流れ込んだ帯電微粒子水は本体連通路２８を通り集塵部９へと流入し溜まっている塵埃に除菌、脱臭の作用するものである。
【００５０】
このときは当然図７（ａ）に示した開時のようにボール２５は重力により下に位置しているため帯電微粒子水が通過するための通路が確保されている。またシール材２２により帯電微粒子水が漏れることはない。集塵部９への接続は本来掃除機本体１に設けたある吸引の通路に本体連通路２８をつないでいる。
【００５１】
図５では簡易的な直線的な充電台連通路１６で示しているが充電台連通路１６の一部は取り回し、フレキシブル性を考慮してゴムなどのチューブを用いてもよい。
【００５２】
静電霧化装置１１の動作時間は静電霧化制御部１３で決めている。本発明では効果検証を行った結果、２時間に設定している。臭いの程度により、臭いセンサを設けて時間を制御することもできる。
【００５３】
掃除機を使用しているときの接続部１７は、本体後部外壁面２３が床面に対し鉛直方向なので、図７（ｂ）のようになっている。すなわち掃除機の位置関係から図７（ａ）と約９０度異なる。このときにボール２５は掃除機の吸引力により本体連通路２８側に引っ張られるが通路を狭くしているためこの部分で止まり、すなわちシールを行う。
【００５４】
これにより外気からの漏れを防止でき本来の吸引力を損なうことがない。逆止弁ではできない方向である。開閉機構２１は、電磁弁、磁石による磁力開閉、モーター駆動開閉などが他にも選択できる。本発明の開閉機構は動力を使わない非常にコストパフォーマンスに優れた構成を採用している。
【００５５】
ボール２５は比重の軽いポリプロピレン球体を使っているため、掃除機をスタンド状態
で使用（図７（ａ）の状態となる）されたときでも吸引力でボール２５が持ち上がり通路のシールができる。
【００５６】
図８は充電台３０に掃除機本体１が置かれていないときの帯電微粒子水放出口１５に設けた蓋２７を示している。この蓋２７により誤って水やジュースなどをこぼしても中にはいることがない。加えて安全ピンや爪楊枝などの小さな異物、ほこりや紙片などの小物などが入らないものである。
【００５７】
本発明の構造では、図９に示しているように２つに分けて開閉する蓋２７を設けている。蓋２７は押されると下方に回動し通路を開けるもので、掃除機本体１に設けた帯電微粒子水流入口１２により押されることで開く。掃除機本体１を外せば弾性力で元に戻り閉まるものである。この構造は掃除機本体１側にあっても問題はない。これにより、通路が閉塞されることがなく信頼性が向上する。
【００５８】
また２６は帯電微粒子水の充電台３０からの排出口であり、掃除機本体１のみならず、部屋中の空気の清浄作用も可能となる。掃除中にも動作させることができ、かつ充電中も動作させることができるものである。
【００５９】
上記構成により充電台３０より掃除機本体１の集塵部９などに除菌、脱臭効果のある帯電微粒子水を効率よく効果的に漏れも発生せず供給でき、かつ動作時間も長く取ることができるもので、非常に衛生機能が高い脱臭、除菌性に優れた、使用勝手のよい充電式電気掃除機を提供することができる。
【００６０】
本発明では、前記衛生機能手段の効果としてはカビ菌や大腸菌や黄色ブドウ球菌、その他の雑菌等の除菌、塵埃や付着あるいは舞いあがるチリやほこりやペット毛、皮脂破片、ダニの死骸、糞等の臭い及び壁面に付着した臭いの脱臭、アレルゲンとなるダニの糞などや花粉の不活性化、抗ウィルス作用などいずれかに効くものである。
【００６１】
手段としては、本発明は前記帯電微粒子水を生成する前記静電霧化装置として以下は記述するが、オゾン生成装置、プラズマやイオンを発生させる放電による除菌、脱臭の装置など特に限定するものではない。また、充電台についても、充電式掃除機の充電台や収納をケアした収納台や単なる置き台であっても本発明の効果には影響はしない。掃除機の種類もサイクロン式、紙パック式、スティック式の種類に加え、電源もＡＣ用または充電式等あるが、これも特に限定するものではない。
【産業上の利用可能性】
【００６２】
本発明の充電式電気掃除機は、軽量やコンパクト性を重視しつつ、掃除機本体の脱臭、除菌と部屋の空気清浄効果が高く、より長い時間使用できるもので、帯電微粒子水を発生させる静電霧化装置を搭載した各種家庭用、業務用電気掃除機の分野・用途に好適に適用することができる。
【符号の説明】
【００６３】
１  掃除機本体
２  吸込具
３  延長管
４  ホース
６  ２次電池（電池）
７  手元把持部
８  手元操作部
９  集塵部
１０  電動送風機
１１  静電霧化装置
１２帯電微粒子水流入口（接続開口部）
１３  静電霧化制御部
１４  外気吸引口
１５  帯電微粒子水放出口（接続開口部）
１６  充電台連通路
１７  接続部
１８  充電制御部
１９  充電端子
２０  充電端子
２１  開閉機構
２２  シール材
２３  本体後部外壁面
２４  外壁面
２５  ボール
２６  排出口
２７  蓋
２８  本体連通路
３０  充電台
１００  充電式電気掃除機
【図１】
2016067614.tif 000003
【図２】
2016067614.tif 000004
【図３】
2016067614.tif 000005
【図４】
2016067614.tif 000006
【図５】
2016067614.tif 000007
【図６】
2016067614.tif 000008
【図７】
2016067614.tif 000009
【図８】
2016067614.tif 000010
【図９】
2016067614.tif 000011